【手続補正書】
【提出日】平成20年3月4日(2008.3.4)
【手続補正１】
【補正対象書類名】明細書
【補正対象項目名】特許請求の範囲
【補正方法】変更
【補正の内容】
【特許請求の範囲】
【請求項１】
番組本編と広告を所定の順序に従って組み合わせてなるコンテンツを記録及び再生するコンテンツ記録再生装置であって、
コンテンツを入力する手段と、
番組本編を記録する番組本編記録手段と、
広告を記録する広告記録手段と、
番組本編と広告の再生順序を記述したシーケンス・データを保持するシーケンス保持手段と、
シーケンス・データに従って記録された番組本編並びに広告を再生するコンテンツ再生手段と、
を具備することを特徴とするコンテンツ記録再生装置。
【請求項２】
前記コンテンツ再生手段によるコンテンツの再生履歴を保存する視聴履歴保存手段をさらに備える、
ことを特徴とする請求項１に記載のコンテンツ記録再生装置。
【請求項３】
前記番組本編記録手段又は前記広告記録手段による番組本編又は広告の記録履歴を保存する記録履歴保存手段をさらに備える、
ことを特徴とする請求項１に記載のコンテンツ記録再生装置。
【請求項４】
シーケンス・データに従わない広告の視聴をユーザが要求するための視聴者制御手段と、
前記視聴者制御手段を介してユーザ入力された視聴者制御情報を保存する視聴者制御情報保存手段と、
をさらに備えることを特徴とする請求項１に記載のコンテンツ記録再生装置。
【請求項５】
再生コンテンツに対するユーザの評価値を指示する視聴者制御手段と、
前記視聴者制御手段を介してユーザ入力された視聴者制御情報を保存する視聴者制御情報保存手段と、
をさらに備えることを特徴とする請求項１に記載のコンテンツ記録再生装置。
【請求項６】
外部装置と接続するための通信手段をさらに備え、
コンテンツの記録履歴、再生履歴、再生コンテンツに対する視聴者制御情報などを前記通信手段を介して外部装置に転送する、
ことを特徴とする請求項１に記載のコンテンツ記録再生装置。
【請求項７】
番組本編と広告を所定の順序に従って組み合わせてなるコンテンツを記録及び再生するコンテンツ記録再生方法であって、
コンテンツを入力するステップと、
番組本編を記録する番組本編記録ステップと、
広告を記録する広告記録ステップと、
番組本編と広告の再生順序を記述したシーケンス・データを保持するシーケンス保持ステップと、
シーケンス・データに従って記録された番組本編並びに広告を再生するコンテンツ再生ステップと、
を具備することを特徴とするコンテンツ記録再生方法。
【請求項８】
各視聴者に対して広告コンテンツを提供するコンテンツ提供装置であって、
広告コンテンツを蓄積するコンテンツ蓄積手段と、
蓄積した広告コンテンツを各視聴者に提供する広告提供手段と、
各視聴者の嗜好情報やコンテンツ視聴に関する履歴情報を受信し保存する視聴者情報管理手段と、
を具備することを特徴とするコンテンツ提供装置。
【請求項９】
視聴者毎のコンテンツ視聴に関する履歴情報に基づいて、各視聴者に対して課金処理を行う課金手段をさらに備える、
ことを特徴とする請求項８に記載のコンテンツ提供装置。
【請求項１０】
視聴者毎の嗜好情報やコンテンツ視聴に関する履歴情報に基づいて、広告と番組本編を再生する順序を制御するためのシーケンス・データを生成して、各視聴者に提供するシーケンス・データ提供手段をさらに備える、
ことを特徴とする請求項８に記載のコンテンツ提供装置。
【請求項１１】
前記シーケンス・データ提供手段は、広告の視聴履歴を基に視聴者の好みを判断して、好みに適合する広告を増やし、逆に好みに合わない広告を減らすようにシーケンス・データの生成を制御する、
ことを特徴とする請求項１０に記載のコンテンツ提供装置。
【請求項１２】
視聴者毎のコンテンツ視聴に関する履歴情報に基づいて、各視聴者が持つ得点を計数する得点制御手段をさらに備える、
ことを特徴とする請求項８に記載のコンテンツ提供装置。
【請求項１３】
前記得点制御手段は、視聴者が広告を視聴したことに応じて得点を加算し、視聴者が番組本編を視聴したこと又は広告の視聴をスキップしたことに応じて得点を減算する、
ことを特徴とする請求項１２に記載のコンテンツ提供装置。
【請求項１４】
前記得点制御手段は、視聴者に対して貯えられた得点を課金やその他のインセンティブに変換する、
ことを特徴とする請求項１２に記載のコンテンツ提供装置。
【請求項１５】
各視聴者に対して広告コンテンツを提供するコンテンツ提供方法であって、
広告コンテンツを蓄積するコンテンツ蓄積ステップと、
蓄積した広告コンテンツを各視聴者に提供する広告提供ステップと、
各視聴者の嗜好情報やコンテンツ視聴に関する履歴情報を受信し保存する視聴者情報管理ステップと、
を具備することを特徴とするコンテンツ提供方法。
【請求項１６】
視聴者毎のコンテンツ視聴に関する履歴情報に基づいて、各視聴者に対して課金処理を行う課金ステップをさらに備える、
ことを特徴とする請求項１５に記載のコンテンツ提供方法。
【請求項１７】
視聴者毎の嗜好情報やコンテンツ視聴に関する履歴情報に基づいて、広告と番組本編を再生する順序を制御するためのシーケンス・データを生成して、各視聴者に提供するシーケンス・データ提供ステップをさらに備える、
ことを特徴とする請求項１５に記載のコンテンツ提供方法。
【請求項１８】
前記シーケンス・データ提供ステップでは、広告の視聴履歴を基に視聴者の好みを判断して、好みに適合する広告を増やし、逆に好みに合わない広告を減らすようにシーケンス・データの生成を制御する、
ことを特徴とする請求項１７に記載のコンテンツ提供方法。
【請求項１９】
視聴者毎のコンテンツ視聴に関する履歴情報に基づいて、各視聴者が持つ得点を計数する得点制御ステップをさらに備える、
ことを特徴とする請求項１５に記載のコンテンツ提供方法。
【請求項２０】
前記得点制御ステップでは、視聴者が広告を視聴したことに応じて得点を加算し、視聴者が番組本編を視聴したこと又は広告の視聴をスキップしたことに応じて得点を減算する、
ことを特徴とする請求項１９に記載のコンテンツ提供方法。
【請求項２１】
前記得点制御ステップでは、視聴者に対して貯えられた得点を課金やその他のインセンティブに変換する、
ことを特徴とする請求項１９に記載のコンテンツ提供方法。
【請求項２２】
番組本編と広告を所定の順序に従って組み合わせてなるコンテンツを記録及び再生するコンテンツ記録再生処理をコンピュータ上で実行するように記述されたコンピュータ・ソフトウェアをコンピュータ可読形式で物理的に格納した記憶媒体であって、前記コンピュータ・ソフトウェアは前記コンピュータを、
コンテンツを入力する手段と、
番組本編を記録する番組本編記録手段と、
広告を記録する広告記録手段と、
番組本編と広告の再生順序を記述したシーケンス・データを保持するシーケンス保持手段と、
シーケンス・データに従って記録された番組本編並びに広告を再生するコンテンツ再生手段と、
として機能させるための記憶媒体。
【請求項２３】
各視聴者に対して広告コンテンツを提供するコンテンツ提供処理をコンピュータ上で実行するように記述されたコンピュータ・ソフトウェアをコンピュータ可読形式で物理的に格納した記憶媒体であって、前記コンピュータ・ソフトウェアは前記コンピュータを、
広告コンテンツを蓄積するコンテンツ蓄積手段と、
蓄積した広告コンテンツを各視聴者に提供する広告提供手段と、
各視聴者の嗜好情報やコンテンツ視聴に関する履歴情報を受信し保存する視聴者情報管理手段と、
として機能させるための記憶媒体。
【請求項２４】
番組本編と広告を所定の順序に従って組み合わせてなるコンテンツを記録及び再生するコンテンツ記録再生処理をコンピュータ上で実行するように記述されたコンピュータ・プログラムであって、前記コンピュータを、
番組本編を記録する番組本編記録手段と、
広告を記録する広告記録手段と、
番組本編と広告の再生順序を記述したシーケンス・データを保持するシーケンス保持手段と、
シーケンス・データに従って記録された番組本編並びに広告を再生するコンテンツ再生手段と、
として機能させるためのコンピュータ・プログラム。
【請求項２５】
各視聴者に対して広告コンテンツを提供するコンテンツ提供処理をコンピュータ上で実行するように記述されたコンピュータ・プログラムであって、前記コンピュータを、
広告コンテンツを蓄積するコンテンツ蓄積手段と、
蓄積した広告コンテンツを各視聴者に提供する広告提供手段と、
各視聴者の嗜好情報やコンテンツ視聴に関する履歴情報を受信し保存する視聴者情報管理手段と、
として機能させるためのコンピュータ・プログラム。
【請求項２６】
番組本編と広告を所定の順序に従って組み合わせてなるコンテンツを再生するコンテンツ再生装置であって、
コンテンツを入力する手段と、
広告を記録する広告記録手段と、
番組本編と広告の再生順序を記述したシーケンス・データを保持するシーケンス保持手段と、
シーケンス・データに従って番組本編並びに広告を再生するコンテンツ再生手段と、
を具備することを特徴とするコンテンツ再生装置。
【請求項２７】
前記コンテンツ再生手段によるコンテンツの再生履歴を保存する視聴履歴保存手段をさらに備える、
ことを特徴とする請求項２６に記載のコンテンツ再生装置。
【請求項２８】
再生コンテンツに対するユーザの評価値を指示する視聴者制御手段と、
前記視聴者制御手段を介してユーザ入力された視聴者制御情報を保存する視聴者制御情報保存手段と、
をさらに備えることを特徴とする請求項２６に記載のコンテンツ再生装置。
【請求項２９】
外部装置と接続するための通信手段をさらに備え、
コンテンツ再生履歴、再生コンテンツに対する視聴者制御情報などを前記通信手段を介して外部装置に転送する、
ことを特徴とする請求項２６に記載のコンテンツ再生装置。
【手続補正２】
【補正対象書類名】明細書
【補正対象項目名】００１７
【補正方法】変更
【補正の内容】
【００１７】
【課題を解決するための手段及び作用】
本発明は、上記課題を参酌してなされたものであり、その第１の側面は、番組本編と広告を所定の順序に従って組み合わせてなるコンテンツを記録及び再生するコンテンツ記録再生装置又は方法であって、
コンテンツを入力する手段又はステップと、
番組本編を記録する番組本編記録手段又はステップと、
広告を記録する広告記録手段又はステップと、
番組本編と広告の再生順序を記述したシーケンス・データを保持するシーケンス保持手段又はステップと、
シーケンス・データに従って記録された番組本編並びに広告を再生するコンテンツ再生手段又はステップと、
を具備することを特徴とするコンテンツ記録再生装置又は方法である。
【手続補正３】
【補正対象書類名】明細書
【補正対象項目名】００３２
【補正方法】変更
【補正の内容】
【００３２】
また、本発明の第３の側面は、番組本編と広告を所定の順序に従って組み合わせてなるコンテンツを記録及び再生するコンテンツ記録再生処理をコンピュータ・システム上で実行するように記述されたコンピュータ・ソフトウェアをコンピュータ可読形式で物理的に格納した記憶媒体であって、前記コンピュータ・ソフトウェアは、
コンテンツを入力するステップと、
番組本編を記録する番組本編記録ステップと、
広告を記録する広告記録ステップと、
番組本編と広告の再生順序を記述したシーケンス・データを保持するシーケンス保持ステップと、
シーケンス・データに従って記録された番組本編並びに広告を再生するコンテンツ再生ステップと、
を具備することを特徴とする記憶媒体である。
【手続補正４】
【補正対象書類名】明細書
【補正対象項目名】００３６
【補正方法】変更
【補正の内容】
【００３６】
また、本発明の第５の側面は、番組本編と広告を所定の順序に従って組み合わせてなるコンテンツを記録及び再生するコンテンツ記録再生処理をコンピュータ・システム上で実行するように記述されたコンピュータ・プログラムであって、
コンテンツを入力するステップと、
番組本編を記録する番組本編記録ステップと、
広告を記録する広告記録ステップと、
番組本編と広告の再生順序を記述したシーケンス・データを保持するシーケンス保持ステップと、
シーケンス・データに従って記録された番組本編並びに広告を再生するコンテンツ再生ステップと、
を具備することを特徴とするコンピュータ・プログラムである。